(57)【要約】 【課題】  本発明は、鞄自体の重量を大きくすることなく、取手の固定性及び耐久性を維持することが出来る鞄の構造を提供することを課題とする。【解決手段】  本発明に係る鞄１は、両側に開閉自在な身衣部２ａ，２ｂを有する鞄本体３と、鞄本体３に取り付けられ、伸縮自在な取手部４とを備えている。さらに、鞄本体３の中央にはマチ部５が配設され、このマチ部５の底部５ａの両側縁には身衣部２ａ，２ｂが連設されている。このマチ部５の両側縁にはスライドファスナー６ａ，６ｂが設けられている。これらのスライドファスナー６ａ，６ｂは、身衣部２ａ，２ｂの周縁に設けられたスライドファスナー７ａ，７ｂと噛合する。また、マチ部５の内側面にはプラスチック製の内枠体８が嵌入されている。この内枠体８の内部には、内枠体８の片面を全面的に遮蔽する仕切板９が嵌め込まれている。【選択図】  図１
2006055488.tif 000002
【特許請求の範囲】
【請求項１】
中央に配設されたマチ部の底部両側縁に開閉自在に連設された身衣部を有する鞄本体と、
前記マチ部の内側に重合する内枠体と、
前記内枠体の内側に設けられ、前記内枠体の片面を全面的に遮蔽し得る仕切部材と、
前記仕切部材と前記身衣部との間に介在し、前記内枠体と前記仕切部材との当接部分に取り付けられる取付部材と、
前記取付部材に固定された取手部とを備えることを特徴とする鞄の構造。
【請求項２】
前記取付部材は、
前記鞄本体の上下方向の少なくとも何れか一方に設けられることを特徴とする請求項１に記載の鞄の構造。
【請求項３】
前記取付部材は、前記内枠体の内周面と前記仕切部材の面板部とがなす垂直部分（当接部分）に沿う形状をなし、
前記取手部は、前記仕切部材を介した前記取付部の背面側に取り付けられ、取付箇所を覆う被覆部材を有することを特徴とする請求項１又は２に記載の鞄の構造。
【請求項４】
前記取手部は、
前記取付部材に固定されたロッドと、
前記ロッド内をスライド自在に挿通された軸部と、
前記軸部の上部に設けられた把持部とを有することを特徴とする請求項１〜３の何れかに記載の鞄の構造。
【発明の詳細な説明】
【技術分野】
【０００１】
本発明は、鞄の構造に関する。
【背景技術】
【０００２】
従来より、キャスター及び取手付きの鞄は多く開発され、また使用されている。これらの構成を有する鞄としてスーツケースを例示できる。スーツケースは、旅行や出張等比較的多くの荷物や重量のある荷物を入れるとことが多いと共に移動が伴う。そのため、キャスターと取手とはスーツケースの機能性を向上させるために重要な役割を果たしている。
【０００３】
従来のスーツケースには、鞄の片側に面板を配設し、その面板に取手が金具で取り付けられているというような構造のものがあった。
【特許文献１】特開２００３−１１６６１８号公報
【発明の開示】
【発明が解決しようとする課題】
【０００４】
ところが、面板は、固定性や耐久性を考慮し、金属や樹脂で形成されている場合が多い。そのため、鞄の片側全面に面板を配することにより、固定性は優れるが鞄自体の重量が大きくなってしまうという問題があった。
【０００５】
そこで、本発明は、鞄自体の重量を大きくすることなく、取手の固定性及び耐久性を維持することが出来る鞄の構造を提供することを課題とする。
【課題を解決するための手段】
【０００６】
本発明は上記事項に鑑みてなされたものであり、すなわち本発明は、中央に配設されたマチ部の底部両側縁に開閉自在に連設された身衣部を有する鞄本体と、マチ部の内側に重合する内枠体と、内枠体の内側に設けられ、この内枠体の片面を全面的に遮蔽し得る仕切部材と、仕切部材と身衣部との間に介在し、内枠体と仕切部材との当接部分に取り付けられる取付部材と、取付部材に固定された取手部とを備えることを特徴とする。
【０００７】
仕切部材は、鞄本体の両側を収納可能なスペースとして仕切るため、その部材は薄肉な樹脂製の板で足りる。そして、本発明に係る鞄は、この仕切部材に取付部材を取り付けて取手部を固定するので、取手部の取り付け専用の面板を鞄の片面全面に設ける必要が無くなる。これにより、取手付きの鞄の軽量化を図ることが可能となる。
【０００８】
また、本発明に係る取付部材は、鞄本体の上下方向の少なくとも何れか一方に設けられる構成とすることができる。
【０００９】
このような構成により、鞄の用途や種類に応じて取付部の耐久性や固定力を調節することができる。例えば、比較的軽い荷物を入れる鞄であれば取付部材は上部に一つ取り付けたり、重い荷物を入れる鞄であれば取付部材を上下に一つずつ取り付けたりというように、鞄の大きさや用途により取付部材の個数を変えることができる。加えて、鞄の材質により取付部材の個数を決めてもよい。
【００１０】
取付部材は、内枠体と仕切部材とが垂直に当接している箇所に沿うような形状（例えばＬ字型）を成している。そして、本発明の鞄の構造では、仕切部材を介して、取付部材の背面側と取手部とが固定される。例えば、取付部材側からビスやネジなどの固定具を挿通し、仕切部材を貫通させ取手部を固定する。
【００１１】
このように、鞄の収納スペースの中央に設けられた仕切部材を介して取手部が仕切部材に固定されるので、仕切部材の両側の収納スペースを確保することができる。
【００１２】
また、本発明では、取付部材側の箇所を覆う被覆部材を設ける構成とすることもできる。この被覆部材は、取付部材全体を着脱自在に覆うものが好ましい。この被覆部材により、取付部を保護するとともに、美観を損なうことがなくなる。
【００１３】
さらに、この被覆部材の表面に袋体（ポケット）を設けたりすることにより、新たな収納スペースを設けることも可能となり、さらなる利便性の向上が期待できる。
【００１４】
また、本発明に係る取手部は、取付部材に固定されたロッドと、ロッド内をスライド自在に挿通された軸部と、軸部の上部に設けられた把持部とを有している。この軸部は、ロッドとほぼ同じ長さとすることにより、ロッド内をスライドさせて引き延ばして使用することができる。鞄にキャスターがついている場合、把持部を持ち鞄を引くようにして鞄の移動を行うことができるため、鞄自体の利便性が向上する。
【発明の効果】
【００１５】
本発明によれば、鞄自体の重量を大きくすることなく、取手の固定性及び耐久性を維持することが出来る鞄の構造を提供することが可能となる。
【発明を実施するための最良の形態】
【００１６】
以下、図面を参照しながら本実施形態の鞄の構造について説明する。
図１に示すように、本実施形態に係る鞄１は、両側に開閉自在な身衣部２ａ，２ｂを有する鞄本体３と、鞄本体３に取り付けられ、伸縮自在な取手部４とを備えている。
【００１７】
さらに、鞄本体３の中央にはマチ部５が配設され、このマチ部５の底部５ａの両側縁には身衣部２ａ，２ｂが連設されている。このマチ部５の両側縁にはスライドファスナー６ａ，６ｂが設けられている。これらのスライドファスナー６ａ，６ｂは、身衣部２ａ，２ｂの周縁に設けられたスライドファスナー７ａ，７ｂと噛合する。
【００１８】
さらに、マチ部５の内側面にはプラスチック製の内枠体８が嵌入されている。この内枠体８の内部には、内枠体８の片面を全面的に遮蔽する仕切板（仕切部材）９が嵌め込まれている。本実施形態に係る仕切板９は、薄肉な樹脂製の板材である。尚、仕切板９と内枠体８の内壁とは内装布により覆われている。  
【００１９】
また、仕切板９には、鞄１を持つための取手部４が取り付けられる。取手部４は、一対の筒状のロッド４ａ，４ｂと、ロッド４ａ，４ｂ内にスライド自在に挿通される軸部４ｃ，４ｄと、一対の軸部４ｃ，４ｄの両上端を結ぶように設けられた把持部４ｅとから構成されている。
【００２０】
取手部４を使用する場合、まず、把持部４ｅを持ち、鞄本体３の上方向（図１中Ｘ方向）に引き上げ、ロッド４ａ，４ｂから軸部４ｃ，４ｄを引き上げる。これにより、持ち手の部分が長くなり、鞄本体３にキャスターが設けられた鞄であれば、使用者は取手部４を持ち、鞄を引きながら持ち歩くことができる。
【００２１】
一方、取手部４を使用しない場合は、把持部４ｅを鞄本体３の下方向（図１中Ｙ方向）に押し下げ、ロッド４ａ，４ｂ内に軸部４ｃ，４ｄを挿通する。これにより、取手部４を使用しない時でも取手部４が邪魔になることがなくなる。３
【００２２】
そして、この取手部４は、取付部（取付部材）１１によって仕切板９に取り付けられる。図２及び図３に示すように、本実施形態に係る取付部１１は、内枠体８の内壁と仕切板９とが略垂直に交わる箇所に沿うように、底部１１ａと、この底部１１ａから立設した壁部１１ｂによりＬ字型を成している。
【００２３】
また、取付部１１の底部１１ａと壁部１１ｂとには、それぞれ二カ所ずつ固定具１２ａ〜１２ｄを挿通させるための貫通孔１３ａ〜１３ｄが設けられている。これにより、壁部１１ｂに設けられた貫通孔１３ｃ，１３ｄに挿通された固定具１２ｃ，１２ｄによりロッド４ａ，４ｂが固定され、底部１１ａに設けられた貫通孔１３ａ，１３ｂに挿通された固定具１２ａ，１２ｂにより取付部１１と内枠体８とが固定される。
【００２４】
一方、ロッド４ａ，４ｂには、貫通孔１３ｃ，１３ｄに挿通された固定具１２ｃ，１２ｄと嵌合するアタッチメント１４ａ，１４ｂが設けられている。アタッチメント１４ａ，１４ｂは、図４に示すように棒状であり、ロッド４ａの端部と、ロッド４ａ上側との二カ所に、一対のロッド４ａを連結するように取り付けられる。
【００２５】
そして、アタッチメント１４ａ，１４ｂには、固定具１２ａ〜１２ｄをそれぞれ挿通する挿通孔１５が設けられている（固定具１２ａ，１２ｂ，１２ｃに対応する挿通孔は不図示）。
【００２６】
図３に示すように、この挿通孔１５には、固定具１２ｄを嵌合する嵌め込み具１６が、アタッチメント１４ａ側から挿通される。つまり、各固定具と各嵌め込み具とが嵌合することにより各アタッチメントが仕切板９を介して固定される。これに伴いロッド４ａ，４ｂが固定されることになる。
【００２７】
また、図４に示すようにアタッチメント１４ａ，１４ｂ側の仕切板９には、アタッチメント１４ａ，１４ｂを覆う被覆部材１７が設けられている。本実施形態に係る被覆部材１７は布製であり、仕切板９を覆う内装布１０に一端が縫いつけられている。
【００２８】
一方、被覆部材１７の他端と、被覆部材１７の他端が重なる仕切板９の面板には、取り外しを自在に行うことができる面ファスナーの雄型ファスナー１８ａと雌型ファスナー１８ｂとがそれぞれ設けられている。これらの面ファスナー同士を付着させることにより、被覆部材１７がアタッチメント１４ａ，１４ｂを覆う状態となる。
【００２９】
尚、取付部１１が設けられている側を仕切板９の前面とすると、図４に示すアタッチメント１４ａ，１４ｂが設けられている側が仕切板９の背面となる。仕切板９の背面側は、前面側に比べて収納スペースが狭く構成されている。これにより、仕切板９の前面側の収納スペースを広く確保することができる。但し、仕切板９の背面側にも収納スペースを極力確保するために、被覆部材１７の表面及び身衣部２ｂの内面にポケット（不図示）を設ける構成としてもよい。
【００３０】
また、本実施形態に係る取手部４は仕切板９の背面側と身衣部２ｂとの間に設けられている。そのため、取手部４の使用時は、身衣部２ｂとマチ部５にそれぞれ設けられたスライドファスナー６ｂ，７ｂは、取手部４の大きさ分（厳密には、ロッド４ａからロッド４ｂのストローク分）だけ開けた状態となる。
【００３１】
そして、取手部４の未使用時は、仕切板９の背面側と身衣部２ｂとにより形成される収納スペース内に把持部４ｅと軸部４ｃ，４ｄを収容し、スライドファスナー６ｂとスライドファスナー７ｂとを噛合させて身衣部２ｂを閉じる。
【００３２】
以上が本実施形態の鞄の構造である。
上述したように、本実施形態の鞄１の構造によれば、仕切板９に取付部１１を取り付けて取手部４を固定するので、従来のように取手部４の取り付け専用の面板を鞄１の片面全面に設ける必要が無くなる。これにより、鞄自体の軽量化を図ることが可能となる。
【００３３】
また、本発明に係る取付部１１は、鞄本体３の上下双方に設けられている。これにより、取付部１１の耐久性や固定力を調節することができ、取手部４の操作性を向上させることが可能となる。
【００３４】
また、本実施形態の鞄１の構造は、取付部１１を覆う被覆部材１７を設ける構成である。この被覆部材１７により、鞄１の収納スペースの美観を損なわずに取付部１１を保護することができる。
【００３５】
さらに、この被覆部材１７の表面に袋体（ポケット）を設けることにより、新たな収納スペースを設けることも可能となり、利便性の向上が期待できる。
【００３６】
＜その他の実施の態様１＞
その他の実施の態様として、図５に示すような、取手部４の出し入れを専用に行う蓋体２０を設けた態様を例示できる。この場合、内枠体の両側にほぼ同様のスペースを有する位置に仕切板が配設される（共に不図示）。
【００３７】
そして、内枠体の上部には、取手部４の取り出し口２１が形成され、この取り出し口２１には、開口を開閉する蓋体２０が設けられている。この蓋体２０は、取手部４の把持部４ｅを持ちロッド４ａ，４ｂ内の軸部４ｃ，４ｄを上方（図５中Ｖ方向）にスライドさせ伸ばした時は開けた状態とし、把持部４ｅを持ちロッド４ａ，４ｂ内の軸部４ｃ，４ｄを下方（図５中Ｗ方向）にスライドさせ縮めた時は取り出し口２の開口を覆い塞ぐ。
【００３８】
このような構成により、取手部４の使用時でも、身衣部２ｂに設けられたスライドファスナー７ｂとマチ部５の周縁に設けられたスライドファスナー６ｂとを閉めた状態で鞄を使用することができる。
【００３９】
＜その他の実施の態様２＞
また、図示しないが、本実施形態に係る内装布１０にスライドファスナーを設け、内枠体８とこれに取り付けられた仕切板９をマチ部５の内側に固定する構成としてもよい。このように、内装布１０にスライドファスナーを設けて袋状にすることにより、その内部に仕切板９と内枠体８とを収容することができる。これにより、鞄１内部の収納スペースの美観を損なうことがなくなると共に、仕切板９又は内枠体８が破損した場合に取り替えや修理といったメンテナンスがし易くなる。
【００４０】
さらに、内装布１０にスライドファスナーを設けて袋状にすることにより、鞄１の底となる部分に底板を別途収容することができる。これにより、鞄１の使用状態にあわせて鞄の底部分を厚く補強することができる。
【図面の簡単な説明】
【００４１】
【図１】本実施形態に係る鞄の斜視図である。
【図２】本実施形態に係る取付部の取付状態を示す斜視図である。
【図３】本実施形態に係る取付部の取付状態を示す側面図である。
【図４】本実施形態に係る鞄の斜視図である。
【図５】その他の実施の態様１に係る鞄の斜視図である。
【符号の説明】
【００４２】
１  鞄
２ａ，２ｂ  身衣部
３  鞄本体
４  取手部
４ａ，４ｂ  ロッド
４ｃ，４ｄ  軸部
４ｅ  把持部
５  マチ部
５ａ  底部
６ａ，６ｂ  スライドファスナー
７ａ，７ｂ  スライドファスナー
８  内枠体
９  仕切板
１０  内装布
１１  取付部
１１ａ   底部
１１ｂ   壁部
１２ａ〜ｄ  固定具
１３ａ〜ｄ  貫通孔
１４ａ，１４ｂ  アタッチメント
１５  挿通孔
１６  嵌め込み具
１７  被覆部材
１８ｂ   雌型ファスナー
１８ａ  雄型ファスナー
２０  蓋体
２１  取り出し口
【図１】
2006055488.tif 000003
【図２】
2006055488.tif 000004
【図３】
2006055488.tif 000005
【図４】
2006055488.tif 000006
【図５】
2006055488.tif 000007